(57)【要約】      （修正有）【課題】容易に日本人好みの演奏の音色を奏でることができる二胡を提供する。【解決手段】二胡１０は、平面略多角形の開口面部１２を有する筒状であって、開口面部１２を被覆する蛇皮面部１３が設けられた共鳴胴１１と、共鳴胴１１に固定されている棹１４と、棹１４の先端付近に設けられた糸巻き部１５、１５’から共鳴胴の蛇皮面部１３方向に張られている２本の弦１６、１６’と、棹１４の先端付近に設けられ、棹１４の長さ方向中央に取り付けられている千斤１７と、共鳴胴１１の開口面部１２を被覆する蛇皮面部１３の中心部に取り付けられている駒１８とを備えている二胡であって、共鳴胴１１の長さ寸法Ｌ１は１３．５ｃｍであり、共鳴胴の長さ寸法が１３ｃｍである従来の二胡の共鳴胴の長さ寸法よりも０．５ｃｍ大きく、蛇皮面部１３の幅寸法Ｌ２は１０．２ｃｍであり、蛇皮面部の幅寸法が９．８ｃｍである従来の二胡の蛇皮面部の幅寸法よりも０．４ｃｍ大きく構成されている。【選択図】図１
0003210676.tif 000002
【実用新案登録請求の範囲】
【請求項１】
平面略多角形の開口面部を有する筒状であって、前記開口面部を被覆する蛇皮面部が設けられた共鳴胴と、前記共鳴胴に固定されている棹と、前記棹の先端付近に設けられた糸巻き部から前記共鳴胴の前記蛇皮面部方向に張られている２本の弦と、前記棹の先端付近に設けられ、前記棹の長さ方向中央に取り付けられている千斤と、前記共鳴胴の前記開口面部を被覆する蛇皮面部の中心部に取り付けられている駒とを備えている二胡であって、前記共鳴胴の長さ寸法Ｌ１は１３．５ｃｍであり、共鳴胴の長さ寸法が１３ｃｍである従来の二胡の共鳴胴の長さ寸法よりも０．５ｃｍ大きく、前記蛇皮面部の幅寸法Ｌ２は１０．２ｃｍであり、蛇皮面部の幅寸法が９．８ｃｍである従来の二胡の蛇皮面部の幅寸法よりも０．４ｃｍ大きいことを特徴とする二胡。
【請求項２】
前記棹の長さ寸法Ｌ３は８２．５ｃｍであり、棹の長さ寸法が８１．５ｃｍである従来の二胡の棹の長さ寸法よりも１ｃｍ大きいことを特徴とする請求項１記載の二胡。
【請求項３】
前記共鳴胴の前記開口面部を被覆する蛇皮面部の蛇皮の厚さ寸法は１．５ｍｍ〜２．０ｍｍであり、蛇皮の厚さ寸法が１ｍｍである従来の二胡の蛇皮の厚さ寸法よりも０．５〜１．０ｍｍ大きいことを特徴とする請求項１記載の二胡。
【考案の詳細な説明】
【技術分野】
【０００１】
本考案は、二胡の改良に関するものである。
【背景技術】
【０００２】
中国では二胡が普及し、大人から子供まで広く演奏されている。一方、日本では、特にシニアの女性が習い始めることが多い。
【０００３】
二胡は、共鳴胴部と、共鳴胴部に取り付けられた長い棹部とにより構成され、前記棹部に固定された千斤と、前記共鳴胴部の前記開口面部を被覆する蛇皮面部に配設された駒との間において前記共鳴胴部と前記棹部との間に張設された２本の弦を、所定の位置を指で押さえながら音程を形成して演奏する弦楽器である。
【０００４】
また、二胡は、バイオリン等の弦楽器と異なり、２本の弦が棹から離れて張られていて、初心者には指使いが自由すぎて音階指位置を掴み難く、音階指位置が定まるまでには、かなりの練習量を必要とする。
【０００５】
また、二胡は、弦が２本しかないことから、基本的には音域は狭いので、演奏者は、他の弦楽器と同様の音域を確保して演奏するには、運指法を変えて移調し、２本の弦上において頻繁に指の位置を変更することにより音域をカバーしていく必要がある。
【０００６】
従って、特にシニアになってから二胡を習い始めた場合には、二胡を演奏するための技術を短期間で習得することは難しい。
【０００７】
このような観点から、初心者でも容易に弾くことができる二胡や、初心者でも容易に正確な音程を二胡の音程装置が提案されている。例えば、特許文献１には、シニアの初心者でも、変調せずに演奏可能であって、演奏中、糸巻の弛まない、摺り合せ調整作業の無用化を実現できる二胡が開示されている。
【０００８】
また、特許文献２には、初心者であっても、練習当初から容易に性格な音程を以て演奏することができると共に、ベテラン演奏者は容易に正確な音程により演奏することができる二胡用音程装置が開示されている。
【０００９】
しかしながら、特許文献１及び２には、二胡を弾きやすくするための提案は開示されているが、弾いた音を上手に共鳴胴内に響かせて、綺麗な音色を奏でるための技術については開示されておらず、従来の二胡では、力強く速い運弓、運指を習得しなければ二胡曲の演奏は難しく、綺麗な音色を出すことは難しいままであった。
【先行技術文献】
【特許文献】
【００１０】
【特許文献１】特開２０１０−４９２１９号公報
【特許文献２】実登第３１８０５７１号
【考案の概要】
【考案が解決しようとする課題】
【００１１】
本考案の課題は、シニアの初心者であっても容易に日本人好みの演奏の音色を奏でることができる二胡を提供することである。
【課題を解決するための手段】
【００１２】
前記課題達成のため、請求項１記載の考案にあっては、平面略多角形の開口面部を有する筒状であって、前記開口面部を被覆する蛇皮面部が設けられた共鳴胴と、前記共鳴胴に固定されている棹と、前記棹の先端付近に設けられた糸巻き部から前記共鳴胴の前記蛇皮面部方向に張られている２本の弦と、前記棹の先端付近に設けられ、前記棹の長さ方向中央に取り付けられている千斤と、前記共鳴胴の前記開口面部を被覆する蛇皮面部の中心部に取り付けられている駒とを備えている二胡であって、前記共鳴胴の長さ寸法Ｌ１は１３．５ｃｍであり、共鳴胴の長さ寸法が１３ｃｍである従来の二胡の共鳴胴の長さ寸法よりも０．５ｃｍ大きく、前記蛇皮面部の幅寸法Ｌ２は１０．２ｃｍであり、蛇皮面部の幅寸法が９．８ｃｍである従来の二胡の蛇皮面部の幅寸法よりも０．４ｃｍ大きいことを特徴とする。
従って、前記共鳴胴の長さ寸法Ｌ１及び前記蛇皮面部の幅寸法Ｌ２を大きくすることにより、弓で弾いた音が、前記蛇皮面部の中心部に取り付けられている駒、蛇皮面部を介して前記共鳴胴に大きく振動が伝わることで、前記共鳴胴内で大きく共鳴すると共に、弓で弾いた音が、前記蛇皮面部の中心部に取り付けられている駒、蛇皮面部を介して前記共鳴胴に大きく振動が伝わることで、前記共鳴胴内で大きく共鳴する。
【００１３】
請求項２記載の考案にあっては、前記棹の長さ寸法Ｌ３は８２．５ｃｍであり、棹の長さ寸法が８１．５ｃｍである従来の二胡の棹の長さ寸法よりも１ｃｍ大きいことを特徴とする。
従って、前記共鳴胴の長さ寸法Ｌ１及び前記蛇皮面部の幅寸法Ｌ２を大きくしたことに合わせて前記棹の長さ寸法Ｌ３も大きくすることにより、二胡全体の大きさのバランスが保たれる。
【００１４】
請求項３記載の考案にあっては、前記共鳴胴の前記開口面部を被覆する蛇皮面部の蛇皮の厚さ寸法は１．５ｍｍ〜２．０ｍｍであり、蛇皮の厚さ寸法が１ｍｍである従来の二胡の蛇皮の厚さ寸法よりも０．５〜１．０ｍｍ大きいことを特徴とする。
従って、前記蛇皮の厚さ寸法を大きくすることにより、弓で弾いた音が、前記蛇皮面部を介して前記共鳴胴内に伝わる振動数が変わるため、奏でられる音質が変化する。
【考案の効果】
【００１５】
請求項１記載の二胡にあっては、平面略多角形の開口面部を有する筒状であって、前記開口面部を被覆する蛇皮面部が設けられた共鳴胴と、前記共鳴胴に固定されている棹と、前記棹の先端付近に設けられた糸巻き部から前記共鳴胴の前記蛇皮面部方向に張られている２本の弦と、前記棹の先端付近に設けられ、前記棹の長さ方向中央に取り付けられている千斤と、前記共鳴胴の開口面部を被覆する蛇皮面部の中心部に取り付けられている駒とを備えている二胡であって、前記共鳴胴の長さ寸法Ｌ１は１３．５ｃｍであり、共鳴胴の長さ寸法が１３ｃｍである従来の二胡の共鳴胴の長さ寸法よりも０．５ｃｍ大きく、前記蛇皮面部の幅寸法Ｌ２は１０．２ｃｍであり、蛇皮面部の幅寸法が９．８ｃｍである従来の二胡の蛇皮面部の幅寸法よりも０．４ｃｍ大きく、前記共鳴胴の長さ寸法Ｌ１及び前記蛇皮面部の幅寸法Ｌ２を大きくすることにより、弓で弾いた音が、前記蛇皮面部の中心部に取り付けられている駒、蛇皮面部を介して前記共鳴胴に大きく振動が伝わることで、前記共鳴胴内で大きく共鳴させることができると共に、弓で弾いた音が、前記蛇皮面部の中心部に取り付けられている駒、蛇皮面部を介して前記共鳴胴に伝わりやすくなることにより、前記共鳴胴内で大きく共鳴させることができる。
その結果、シニアの初心者であっても容易に日本人好みの演奏の音色を奏でることができると共に、軽い力の運弓、運指で、大きな音を出すことができる。
【００１６】
請求項２記載の二胡にあっては、前記棹の長さ寸法Ｌ３は８２．５ｃｍであり、棹の長さ寸法が８１．５ｃｍである従来の二胡の棹の長さ寸法よりも１ｃｍ大きいことから、前記共鳴胴の長さ寸法Ｌ１及び前記蛇皮面部の幅寸法Ｌ２を大きくしたことに合わせて前記棹の長さ寸法Ｌ３も大きくすることにより、二胡全体の大きさのバランスを保つことができる。
従って、二胡の共鳴胴の大きさが変わったことによる違和感がなく演奏をすることができる。
【００１７】
請求項３記載の二胡にあっては、前記共鳴胴の前記開口面部を被覆する蛇皮面部の蛇皮の厚さ寸法は１．５ｍｍ〜２．０ｍｍであり、蛇皮の厚さ寸法が１ｍｍである従来の二胡の蛇皮の厚さ寸法よりも０．５〜１．０ｍｍ大きいことから、前記共鳴胴の前記開口面部を被覆する蛇皮面部の蛇皮の厚さ寸法を０．５〜１．０ｍｍの間で任意に選択することができる。
従って、蛇皮の厚さ寸法により、弓で弾いた音の前記共鳴胴内に伝わる振動数が変わることから、好みに合わせて演奏の音色を変化させることができる。
【図面の簡単な説明】
【００１８】
【図１】図１は、本考案の一実施の形態に係る二胡を示す斜視図である。
【図２】図２は、本考案の一実施の形態に係る二胡において、共鳴胴を示す正面図である。
【図３】図３は、本考案の一実施の形態に係る二胡において、共鳴胴の一側面を示すである。
【考案を実施するための形態】
【００１９】
以下、添付図面に示す実施の形態に基づき、本考案を詳細に説明する。
図１〜図３に示すように、本考案の一実施の形態に係る二胡１０は、平面略多角形の開口面部１２を有する筒状であって、開口面部１２を被覆する蛇皮面部１３が設けられた共鳴胴１１と、共鳴胴１１に固定されている棹１４と、棹１４の先端付近に設けられた糸巻き部１５、１５’から共鳴胴の蛇皮面部１３方向に張られている２本の弦１６、１６’と、棹１４の先端付近に設けられ、棹１４の長さ方向中央に取り付けられている千斤１７と、共鳴胴１１の開口面部１２を被覆する蛇皮面部１３の中心部に取り付けられている駒１８とを備えている二胡であって、共鳴胴１１の長さ寸法Ｌ１は１３．５ｃｍであり、共鳴胴の長さ寸法が１３ｃｍである従来の二胡の共鳴胴の長さ寸法よりも０．５ｃｍ大きく、蛇皮面部１３の幅寸法Ｌ２は１０．２ｃｍであり、蛇皮面部の幅寸法が９．８ｃｍである従来の二胡の蛇皮面部の幅寸法よりも０．４ｃｍ大きく構成されている。
【００２０】
図１〜図３に示すように、本実施の形態に係る二胡１０にあっては、共鳴胴１１の長さ寸法Ｌ１は１３．５ｃｍであり、共鳴胴の長さ寸法が１３ｃｍである従来の二胡の共鳴胴の長さ寸法１３ｃｍよりも０．５ｃｍ大きく、蛇皮面部１３の幅寸法Ｌ２は１０．２ｃｍであり、かつ蛇皮面部の幅寸法が９．８ｃｍである従来の二胡の蛇皮面部の幅寸法よりも０．４ｃｍ大きく構成されている。
【００２１】
図１〜図３に示すように、本実施の形態に係る二胡１０にあっては、棹１４の長さ寸法Ｌ３は８２．５ｃｍであり、棹の長さ寸法が８１．５ｃｍである従来の二胡の棹の長さ寸法よりも１ｃｍ大きく構成されている。
【００２２】
図１〜図３に示すように、本実施の形態に係る二胡１０にあっては、共鳴胴１１の開口面部１２を被覆する蛇皮面部１３の蛇皮の厚さ寸法は１．５ｍｍ〜２．０ｍｍであり、蛇皮の厚さ寸法が１ｍｍである従来の二胡の蛇皮の厚さ寸法よりも０．５〜１．０ｍｍ大きく構成されている。
【００２３】
図１及び図２に示すように、本実施の形態に係る二胡１０にあっては、共鳴胴１１の開口面部１２を被覆する蛇皮面部１３にかかる張力は、従来の二胡よりも緩めに構成されている。
【００２４】
図１及び図２に示すように、本実施の形態に係る共鳴胴１１の開口面部１２の形状は、平面六角形に構成されている。
【００２５】
図１〜図３に示すように、本考案の一実施の形態に係る共鳴胴１１に使用する木材にあっては、紫檀、黒檀、紅木などの堅い木材から選択される。
【００２６】
図１及び図２に示すように、本考案の一実施の形態に係る蛇皮面部１３は、ニシキヘビ皮で構成される。
【００２７】
図１に示すように、本考案の一実施の形態に係る二胡１０にあっては、弓１９は、竹で作られた棹２０に馬の尻尾の毛を束ねた弓毛２１から構成されている。
【００２８】
以下、本実施の形態に係る二胡１０の効果について説明する。
図１〜図３に示すように、本考案の一実施の形態に係る二胡１０は、平面略多角形の開口面部１２を有する筒状であって、開口面部１２を被覆する蛇皮面部１３が設けられた共鳴胴１１と、共鳴胴１１に固定されている棹１４と、棹１４の先端付近に設けられた糸巻き部１５、１５’から共鳴胴の蛇皮面部１３方向に張られている２本の弦１６、１６’と、棹１４の先端付近に設けられ、棹１４の長さ方向中央に取り付けられている千斤１７と、共鳴胴１１の開口面部１２を被覆する蛇皮面部１３の中心部に取り付けられている駒１８とを備えている二胡であって、共鳴胴１１の長さ寸法Ｌ１は１３．５ｃｍであり、共鳴胴の長さ寸法が１３ｃｍである従来の二胡の共鳴胴の長さ寸法よりも０．５ｃｍ大きく、蛇皮面部１３の幅寸法Ｌ２は１０．２ｃｍであり、蛇皮面部の幅寸法が９．８ｃｍである従来の二胡の蛇皮面部の幅寸法よりも０．４ｃｍ大きいことから、弓１９で弾いた音が、蛇皮面部１３の中心部に取り付けられている駒１８、蛇皮面部１３を介して共鳴胴１１に大きく振動が伝わり、共鳴胴１１内で大きく共鳴させることができると共に、弓１９で弾いた音が、蛇皮面部１３の中心部に取り付けられている駒１８、蛇皮面部１３を介して共鳴胴１１に伝わりやすくなることにより、共鳴胴１１内で大きく共鳴させることができる。
その結果、シニアの初心者であっても容易に日本人好みの演奏の音色を奏でることができると共に、軽い力の運弓、運指で、大きな音を出すことができる。
【００２９】
図１〜図３に示すように、本実施の形態に係る二胡１０にあっては、棹１４の長さ寸法Ｌ３は８２．５ｃｍであり、棹の長さ寸法が８１．５ｃｍである従来の二胡の棹の長さ寸法よりも１ｃｍ大きいことから、共鳴胴１１の長さ寸法Ｌ１及び蛇皮面部１３の幅寸法Ｌ２を大きくしたことに合わせて記棹１４の長さ寸法Ｌ３も大きくすることにより、二胡１０全体の大きさのバランスを保つことができる。
従って、二胡１０の共鳴胴１１の大きさが変わったことによる違和感がなく演奏をすることができる。
【００３０】
図１〜図３に示すように、本実施の形態に係る二胡１０にあっては、共鳴胴１１の開口面部１２を被覆する蛇皮面部１３の蛇皮の厚さ寸法は１．５ｍｍ〜２．０ｍｍであり、蛇皮の厚さ寸法が１ｍｍである従来の二胡の蛇皮の厚さ寸法よりも０．５〜１．０ｍｍ大きいことから、共鳴胴１１の開口面部１２を被覆する蛇皮面部１３の蛇皮の厚さ寸法を０．５〜１．０ｍｍの間で任意に選択することができる。
従って、蛇皮の厚さ寸法により、弓１９で弾いた音の共鳴胴１１内に伝わる振動数が変わることから、好みに合わせて演奏の音色を変化させることができる。
【００３１】
図１及び図２に示すように、本実施の形態に係る二胡１０にあっては、共鳴胴１１の開口面部１２を被覆する蛇皮面部１３にかかる張力は、従来の二胡よりも緩めであることから、蛇皮面部１３にかかる張力を緩めることにより、力強く速い運弓、運指する必要がなくなることから、ノイズ又は雑音が少ない安定した音が奏でることができる。
従って、軽い力での運弓、運指で、大きな音を出すことができるようになるので、シニアの初心者であっても演奏を楽しむことができる。
【００３２】
図１及び図２に示すように、本実施の形態に係る共鳴胴１１の開口面部１２の形状は、平面六角形であるので、従来の二胡と同じ形状であることから外観に違和感がなく、購入しやすい。
【００３３】
図１〜図３に示すように、本考案の一実施の形態に係る共鳴胴１１に使用する木材にあっては、紫檀、黒檀、紅木などの堅い木材から選択することができるので、演奏者は好みの音質、音量の二胡を入手することができる。
【００３４】
図１及び図２に示すように、本考案の一実施の形態に係る蛇皮面部１３は、ニシキヘビ皮を使用しているので、他の動物の皮や人口皮を使用したものよりも高級感を出すことができる。
【００３５】
図１に示すように、本考案の一実施の形態に係る二胡１０にあっては、弓１９は、竹で作られた棹２０に馬の尻尾の毛を束ねた弓毛２１から作られているので、繊細な音を出すことができる。
【産業上の利用可能性】
【００３６】
本考案は、初心者からベテラン演奏者まで使用できる二胡であることから、産業上の利用可能性を有している。
【符号の説明】
【００３７】
１０…二胡
１１…共鳴胴
１２…開口面部
１３…蛇皮面部
１４…棹
１５、１５’…糸巻き部
１６、１６’…弦
１７…千斤
１８…駒
１９…弓
２０…弓の棹
２１…弓毛
Ｌ１…共鳴胴の長さ寸法
Ｌ２…蛇皮面部の幅寸法
Ｌ３…棹の長さ寸法
【図１】
0003210676.tif 000003
【図２】
0003210676.tif 000004
【図３】
0003210676.tif 000005